(57)【要約】【課題】  人物が受ける印象を大幅に変えずに快適性を維持しつつ、気温に応じて照明の色を制御することができる照明システムを提供する。【解決手段】  実施形態によれば、照明システムは、照明器具と制御システムとを含む。照明器具は、光源と調光ユニットと通信ユニットとを有する。光源は、発光する色が変更可能である。調光ユニットは、光源が発光する色を調光する。通信ユニットは、制御システムと通信する。制御システムは、エリアコントローラとプロセッサとを有する。エリアコントローラは、照明器具と通信接続する。プロセッサは、照明器具が光を照射する空間における気温の変化に応じて光源が発光する色のｄｕｖを変更するための制御信号をエリアコントローラを介して照明器具へ供給する。【選択図】      図１
2019169429.tif 000002
【特許請求の範囲】
【請求項１】
照明器具と制御システムとを含む照明システムにおいて、
前記照明器具は、
発光する色が変更可能な光源と、
前記光源が発光する色を調光する調光ユニットと、
前記制御システムと通信するための通信ユニットと、を有し、
前記制御システムは、
前記照明器具と通信接続するエリアコントローラと、
前記照明器具が光を照射する空間における気温の変化に応じて前記光源が発光する色のｄｕｖを変更するための制御信号を前記エリアコントローラを介して前記照明器具へ供給するプロセッサと、を有する、
照明システム。
【請求項２】
前記光源は、ｘｙ色度図において黒体軌跡の上部となる色を発光する第１の発光器と前記黒体軌跡の下部となる色を発光する第２の発光器とを含む３種類以上の発光器から構成される、
請求項１に記載の照明システム。
【請求項３】
前記プロセッサは、前記空間の気温を制御する空調設備の設定温度が基準温度以上の場合には前記光源が発光する色のｄｕｖをｘｙ色度図における黒体軌跡の下部に設定し、前記設定温度が前記基準温度未満の場合には前記光源が発光する色のｄｕｖを前記黒体軌跡の上部に設定する、
請求項１又は２の何れかに記載の照明システム。
【請求項４】
前記エリアコントローラは、さらに、前記空間における気温を制御する空調設備に通信接続し、
前記プロセッサは、前記空間における気温の変化に応じて前記光源が発光する色のｄｕｖと前記空調設備の設定温度とを決定し、前記決定に基づく制御信号を前記エリアコントローラを介して前記照明器具および前記空調設備へ送信する、
請求項１乃至３の何れか１項に記載の照明システム。
【請求項５】
前記プロセッサは、前記空間における気温の変化量が閾値未満であれば前記光源が発光する色のｄｕｖを変更させる制御信号を前記エリアコントローラを介して前記照明器具へ送信し、前記空間における気温の変化量が前記閾値以上であれば前記空調設備の設定温度を変更させる制御信号を前記エリアコントローラを介して前記空調設備へ送信する、
請求項４に記載の照明システム。
【発明の詳細な説明】
【技術分野】
【０００１】
本発明の実施形態は、照明システムに関する。
【背景技術】
【０００２】
照明器具には、照明の色を変えることができるものがある。照明の色は、人物に与える印象に大きく影響がある。また、照明の色は、人物が感じる温度（体感温度）に影響を与えることがあることも知られている。従来の照明システムとしては、照明器具による照明の相関色温度を室温などの温度（気温）に応じて制御するものが考案されている。この従来の照明システムでは、相関色温度が高、中、低の３種類となる照明器具を有し、そのうちの１種類の照明器具を点灯すると、点灯した照明器具の相関色温度に応じて空調の設定温度を連動して変えることが提案されている。
【先行技術文献】
【特許文献】
【０００３】
【特許文献１】特開平５−８７３７３号公報
【発明の概要】
【発明が解決しようとする課題】
【０００４】
しかしながら、上述したような照明器具の相関色温度の変更は照明の色の大幅な変更となりうる。このため、従来の照明システムは、照明する空間（室内、店舗内など）における気温の変化に応じて照明の相関色温度を変える制御を行うと、気温の変化によって当該空間における照明の色が大幅に変わってしまい、当該空間において人物が受ける印象や雰囲気そのものが大きく変わってしまうことがある。  
本発明が解決しようとする課題は、人物が受ける印象を大幅に変えずに快適性を維持しつつ、気温に応じて照明の色を制御することができる照明システムを提供することである。
【課題を解決するための手段】
【０００５】
実施形態によれば、照明システムは、照明器具と制御システムとを含む。照明器具は、光源と調光ユニットと通信ユニットとを有する。光源は、発光する光の色が変更可能である。調光ユニットは、光源が発光する色を調光する。通信ユニットは、制御システムと通信する。制御システムは、エリアコントローラとプロセッサとを有する。エリアコントローラは、照明器具と通信接続する。プロセッサは、照明器具が光を照射する空間における気温の変化に応じて光源が発光する色のｄｕｖを変更するための制御信号をエリアコントローラを介して照明器具へ供給する。
【発明の効果】
【０００６】
本発明は、人物が受ける印象を大幅に変えずに快適性を維持しつつ、気温に応じて照明の色を制御することができる照明システムを提供できる。
【図面の簡単な説明】
【０００７】
【図１】図１は、実施形態に係る照明システムの構成例を示す図である。
【図２】図２は、実施形態に係る照明システムにおける照明器具の光源を構成する複数のＬＥＤ素子の設計例を示す図である。
【図３】図３は、実施形態に係る照明システムにおける照明器具の光源を構成する複数のＬＥＤ素子の設計例を示す図である。
【図４】図４は、実施形態に係る照明システムにおける協調制御の動作例を説明するためのフローチャートである。
【発明を実施するための形態】
【０００８】
以下で説明する実施形態に係る照明システムは、照明器具（１）と制御システム（４、５）とを含む。照明器具（１）は、光源（１１）と調光ユニット（１２）と通信ユニット（１３）とを有する。光源（１１）は、発光する光の色が変更可能である。調光ユニット（１２）は、光源（１１）が発光する光の色を調光する。通信ユニット（１３）は、制御システム（４、５）と通信する。制御システム（４、５）は、エリアコントローラ（４）とプロセッサ（５１）とを有する。エリアコントローラ（４）は、照明器具（１）と通信接続する。プロセッサ（５１）は、照明器具（１）が光を照射する空間における気温の変化に応じて光源（１１）が発光する光の色のｄｕｖを変更するための制御信号をエリアコントローラ（４）を介して照明器具（１）へ供給する。  
これにより、人物が受ける印象を大幅に変えずに快適性を維持しつつ気温に応じて照明の色を制御することができる。
【０００９】
また、以下で説明する実施形態に係る照明システムにおいて、光源（１１）は、ｘｙ色度図において黒体軌跡の上部となる色を発光する第１の発光器（１１ａ）と黒体軌跡の下部となる色を発光する第２の発光器（１１ｂ）とを含む３種類以上の発光器から構成される。  
これにより、光源が発光する色のｄｕｖをｘｙ色度図における黒体軌跡の上部から下部に変更したり黒体軌跡の下部から上部に変更したりすることができる。
【００１０】
また、以下で説明する実施形態に係る照明システムにおいて、プロセッサ（５１）は、気温を制御する空調設備（２）の設定温度が基準温度以上の場合には光源（１１）が発光する色のｄｕｖをｘｙ色度図における黒体軌跡の下部に設定し、前記設定温度が前記基準温度未満の場合には前記光源（１１）が発光する色のｄｕｖを前記黒体軌跡の上部に設定する。  
これにより、設定温度が基準温度よりも低く設定されている場合には暖かさの感じられる色となるように光源が発光する色のｄｕｖを変更でき、設定温度が基準温度よりも高く設定されている場合には涼しさの感じられる色となるように光源が発光する色のｄｕｖを変更できる。
【００１１】
また、以下で説明する実施形態に係る照明システムにおいて、エリアコントローラ（４）は、さらに空間における気温を制御する空調設備（２）に通信接続し、プロセッサ（５１）は、前記空間における気温の変化に応じて光源（１１）が発光する色のｄｕｖと前記空調設備（２）の設定温度とを決定し、前記決定に基づく制御信号を前記エリアコントローラ（４）を介して前記照明器具（１）および前記空調設備（２）へ送信する。  
これにより、店舗内などの空間の雰囲気を大幅に変えないように照明の色を制御しつつ気温の変化に応じて空調設備の設定温度も変更することにより照明器具と空調設備との協調制御によって当該空間における快適性を維持できる。
【００１２】
また、以下で説明する実施形態に係る照明システムにおいて、プロセッサ（５１）は、空間における気温の変化量が閾値未満であれば光源（１１）が発光する光の色のｄｕｖを変更させる制御信号をエリアコントローラ（４）を介して照明器具（１）へ送信し、前記空間における気温の変化量が前記閾値以上であれば空調設備（２）の設定温度を変更させる制御信号を前記エリアコントローラ（４）を介して前記空調設備（２）へ送信する。  
これにより、気温の変化量が少ない場合には照明の色を制御して快適性を維持し、気温の変化量が大きい場合には空調設備の設定温度を変更して快適性を維持する照明器具と空調設備との協調制御が実現できる。
【００１３】
以下、図面を参照しながら、実施形態について詳細に説明する。  
図１は、実施形態に係る照明システムの構成例を示す図である。  
照明システムは、照明器具１、空調設備２、温度計測器３、エリアコントローラ４および制御端末５などを有する。本実施形態において、照明器具１は、照明する空間としての店舗内を照明するものとして説明する。また、空調設備２は、設定温度に応じて暖房運転および冷房運転を制御することにより店舗内の空調を制御するものとする。
【００１４】
照明器具１は、発光する光の色を変える機能を有する照明器具である。照明器具１は、例えば、店舗内における天井に直付される。照明器具１は、エリアコントローラ４を介して制御端末５と通信する機能を有し、制御端末５からの制御信号に応じて発光する光の色を変更する。なお、照明器具１は、店舗内に複数設置されるものであっても良い。
【００１５】
図１に示す構成例において、照明器具１は、光源１１、調光ユニット１２および通信ユニット１３を有する。  
光源１１は、可変色の光源である。光源１１は、発光する光の色についてｄｕｖが変更できるものとする。ｄｕｖとは、ｘｙ色度図において黒体軌跡からの偏差である。光源１１は、発光する色のｄｕｖを変更できるように複数の発光器で構成される。本実施形態において、光源１１は、複数の発光器として、第１、第２、第３のＬＥＤ素子１１ａ、１１ｂ、１１ｃを有する。
【００１６】
第１、第２および第３のＬＥＤ素子１１ａ、１１ｂ、１１ｃは、光源１１として発光する光のｄｕｖが変更できるように異なる色温度の光を発光するものが用いられる。本実施形態においては、３つのＬＥＤ素子１１ａ、１１ｂ、１１ｃは、光源１１全体として発光する光の色が黒体軌跡の上部または下部に設定できるように設計する。例えば、第１のＬＥＤ素子１１ａの色が黒体軌跡よりも上部とする場合、第２、第３のＬＥＤ素子１１ｂ、１１ｃの少なくとも何れか一方の色は黒体軌跡よりも下部となるように設計する。なお、各ＬＥＤ素子１１ａ、１１ｂ、１１ｃが発光する色の構成例については、後で具体例を挙げて詳細に説明する。
【００１７】
調光ユニット１２は、光源１１が発する光を調光する。通信ユニット１３は、エリアコントローラ４を介して制御端末５と通信する。例えば、通信ユニット１３は、制御端末５からエリアコントローラ４を介して光源１１が発する光のｄｕｖを変更するための制御信号を受信する。調光ユニット１２は、通信ユニット１３が受信する制御信号に応じて光源１１が発する光を調光する。
【００１８】
また、空調設備２は、照明器具１によって照明する店舗内などの空間における気温を制御する。空調設備２は、冷房運転または暖房運転を制御することにより空間における温度を制御する。空調設備２は、制御端末５からの制御信号に応じて設定温度などを変更する機能も有する。また、空調設備２は、制御端末５からの制御信号によって冷房運転または暖房運転のオンオフを制御できるものとしても良い。
【００１９】
図１に示す構成例において、空調設備２は、冷暖房機２１、制御ユニット２２および通信ユニット２３などを有する。冷暖房機２１は、冷房機および暖房機を含むユニットである。冷暖房機２１は、冷房運転モードにおいて冷房運転をオンすることにより店舗内を冷房する。また、冷暖房機２１は、暖房運転モードにおいて暖房運転をオンすることにより店舗内を暖房する。冷暖房機２１は、制御ユニット２２により冷房運転および暖房運転などが制御される。
【００２０】
制御ユニット２２は、冷暖房機２１の運転を制御する。制御ユニット２２は、設定温度に応じて冷暖房機２１による冷房運転または暖房運転を制御する。また、制御ユニット２２は、設定温度を変更する機能も有する。通信ユニット２３は、エリアコントローラ４を介して制御端末５と通信する。
【００２１】
例えば、制御ユニット２２は、通信ユニット２３により制御端末５から設定温度の変更を指示する制御信号を受信した場合、受信した制御信号に従って設定温度を変更する。なお、制御ユニット２２は、通信ユニット２３により制御端末５から冷房又は暖房の運転を指示する制御信号を受信した場合、受信した制御信号に従って冷暖房機２１の運転を制御するようにしても良い。
【００２２】
温度計測器３は、気温を計測する。温度計測器３は、照明器具１および空調設備２が設置される店舗内などの空間における気温を計測する。例えば、温度計測器３は、温度が変化しすい上昇しやすい場所（たとえば、レジの周辺）、外気温の影響を受けやすい場所（たとえば、店舗の窓際）、あるいは、店舗内において平均的な気温を測定できる場所（たとえば、売り場中央）において気温を計測するように設置する。
【００２３】
図１に示す構成例において、温度計測器３は、計測器３１および通信ユニット３２を有する。計測器３１は気温を計測する温度センサを含む。通信ユニット３２は、エリアコントローラ４を介して制御端末５と通信する。例えば、通信ユニット３２は、エリアコントローラ４を介して計測器３１が計測した気温を示す情報を制御端末５へ送信する。
【００２４】
制御端末５とエリアコントローラ４とは、照明システムの制御を司る制御システム（制御装置）を構成する。  
エリアコントローラ４は、通信制御装置として機能する。エリアコントローラ４は、例えば、無線通信によってネットワーク通信を行うための通信ユニットである。また、エリアコントローラ４は、有線による通信を制御するものであっても良い。制御端末５は、エリアコントローラ４を介して、照明器具１、空調設備２および温度計測器３などに通信接続する。
【００２５】
制御端末５は、情報処理機能を有するコンピュータなどで構成する。例えば、制御端末５は、タブレット端末、スマートフォン、ノートパソコンなどで実現する。なお、エリアコントローラ４は制御端末５に設けた通信ユニットとし、エリアコントローラ４と制御端末５とは一体的に構成した１つの制御装置で実現しても良い。
【００２６】
図１に示す構成例において、制御端末５は、プロセッサ５１、メモリ５２、操作部５３、表示部５４および通信ユニット５５などを有する。  
プロセッサ５１は、プログラムを実行することにより各種の処理を実行する。また、プロセッサ５１は、制御端末５内の各部の制御を司る。メモリ５２は、ＲＡＭ、ＲＯＭ、書換え可能な不揮発性メモリなどを含む。プロセッサ５１は、メモリ５２に記憶したプログラムを実行することにより各種の処理を実現する。たとえば、メモリ５２は、後述する処理を実現するためのプログラムを記憶する。
【００２７】
操作部５３は、オペレータが情報を入力するものである。表示部５４は、各種の情報を表示する。操作部５３および表示部５４は、タッチパネル付きの表示装置により構成する。また、操作部５３として、ハードキーなどを有する構成であっても良い。
【００２８】
通信ユニット５５は、エリアコントローラ４を介して各機器と通信するためのインターフェースである。例えば、プロセッサ５１は、通信ユニット５５によりエリアコントローラ４を介して照明器具１に対してｄｕｖの変更を指示する制御信号を供給する。また、プロセッサ５１は、通信ユニット５５によりエリアコントローラ４を介して空調設備２に対して設定温度の変更を指示する制御信号を供給する。また、プロセッサ５１は、通信ユニット５５によりエリアコントローラ４を介して温度計測器３が計測した温度を示す情報を取得する。
【００２９】
次に、照明器具１による照明の色について説明する。  
上述したように、照明器具１の光源１１は、複数の発光器としての３つのＬＥＤ素子１１ａ、１１ｂ、１１ｃが発光する光を調光することによってｄｕｖが変更できるように構成する。照明器具１の調光ユニット１２は、制御端末５からの制御信号に従って光源１１が発光する色のｄｕｖをｘｙ色度図における黒体軌跡の上部としたり黒体軌跡の下部としたりする制御を行う。３つのＬＥＤ素子１１ａ、１１ｂ、１１ｃは、光源１１が発光する色のｄｕｖを黒体軌跡の上部または下部に変更可能とするため、ｘｙ色度図において黒体軌跡よりも上側になるものと黒体軌跡よりも下部になるものとを含むように設計する。
【００３０】
図２および図３は、光源１１を構成する３つのＬＥＤ素子１１ａ、１１ｂ、１１ｃの例を示す図である。  
図２に示す例は、第１のＬＥＤ素子（第１ＬＥＤ）１１ａと第３のＬＥＤ素子（第３ＬＥＤ）１１ｃとが黒体軌跡よりも下側となるように構成し、第２のＬＥＤ素子（第２ＬＥＤ）１１ｂが黒体軌跡よりも上側となるように構成した例である。図２に示す例では、ｘｙ色度図において、第１のＬＥＤ素子１１ａは黒体軌跡の下部に２５００Ｋとなるように設計し、第２のＬＥＤ素子１１ｂは黒体軌跡の上部に３５００Ｋとなるように設計し、第３のＬＥＤ素子１１ｃは黒体軌跡の下部に６０００Ｋとなるように設計する。
【００３１】
図３に示す例は、第１のＬＥＤ素子１１ａと第３のＬＥＤ素子１１ｃとが黒体軌跡よりも上側となるように構成し、第２のＬＥＤ素子１１ｂが黒体軌跡よりも下側となるように構成した例である。図３に示す例では、ｘｙ色度図において、第１のＬＥＤ素子１１ａは黒体軌跡の上部において３０００Ｋとなるように設計し、第２のＬＥＤ素子１１ｂは黒体軌跡の下部において２０００Ｋとなるように設計し、第３のＬＥＤ素子１１ｃは黒体軌跡の上部において６０００Ｋとなるように設計する。
【００３２】
上記のような構成によれば、光源１１が発光する色は、ｘｙ色度図において３つのＬＥＤ素子１１ａ、１１ｂ、１１ｃの色で囲む領域内であれば色を変更できるものとなる。すなわち、光源１１が発光する色は、相関色温度を変えずにｄｕｖを黒体軌跡の上部から下部に変更したり、相関色温度を変えずにｄｕｖを黒体軌跡の下部から上部に変更したりすることができる。
【００３３】
例えば、図２に示す３つのＬＥＤ素子で構成する光源１１は、矢印ａ、あるいは、矢印ｂに示すようなｄｕｖの変更が可能となる。また、図３に示す３つのＬＥＤ素子で構成する光源１１は、矢印ｃ、あるいは、矢印ｄに示すようなｄｕｖの変更が可能となる。  
なお、光源１１は、ｘｙ色度図において黒体軌跡の上部と下部とにｄｕｖを変更できるものであれば良く、ＬＥＤ素子などの光源１１を構成する発光器は３個以上で構成しても良い。
【００３４】
次に、照明器具１による照明のｄｕｖと気温（室温）との関係について説明する。  
発明者らは、照明の色温度および色温度を変える色味を変化させた状態で、室内の気温変化と体感温度の快適性の関係について検討を行った。このような検討によれば、相関色温度の高い照明（昼光色）において気温が約２度上昇しても色温度を変化させる又は、色温度は変えずに色味を変えるよう制御することにより体感温度の快適性を損なわないことが期待できる。また、相関色温度の低い照明（電球色）においては、気温が約２度下がっても相関色温度を変化させる又は、相関色温度は変えずに色味を変えるよう制御することにより、体感温度の快適性を損なわないことが期待できる。
【００３５】
次に、実施形態に係る照明システムの動作例について説明する。  
図４は、照明システムの動作例を説明するためのフローチャートである。  
照明システムにおいて、制御端末５のプロセッサ５１は、照明器具１の相関色温度と空調設備２の設定温度とを設定し、照明器具１と空調設備２との協調制御を行う。照明器具１の相関色温度および空調設備２の設定温度は、予め設定されている値としても良いし、オペレータの指示に応じて設定しても良い。また、相関色温度と設定温度とは、空調設備２の運転モード（冷房または暖房）に応じて切り替えるようにしても良いし、時間帯などに応じて設定しても良い。具体例としては、制御端末５は、空調設備２が冷房運転を行う場合には相関色温度を５０００Ｋかつ設定温度を２６℃に設定し、空調設備２が暖房運転を行う場合には相関色温度を３０００Ｋかつ設定温度を２０℃に設定しても良い。
【００３６】
照明システムによる協調制御の実行中において、制御端末５のプロセッサ５１は、温度計測器３が計測する気温（室温）を取得する（ＳＴ１１）。プロセッサ５１は、所定周期ごとに温度計測器３から気温を示す情報を取得する。また、プロセッサ５１は、温度変化があった場合に温度計測器３から出力される気温を示す情報を取得するようにしても良い。
【００３７】
プロセッサ５１は、温度計測器３から気温を示す情報を取得すると、協調制御を実施すべき気温の変化があるか否かを確認する（ＳＴ１２）。例えば、プロセッサ５１は、温度計測器３から取得した温度情報をメモリ５２に保持し、前回取得した気温と今回取得した気温との差分を気温の変化量として算出する。これにより、プロセッサ５１は、協調制御を行うべき気温の変化があるか否かを判断する。
【００３８】
協調制御を実施すべき気温の変化があると判断した場合（ＳＴ１２、ＹＥＳ）、プロセッサ５１は、温度計測器３により計測した気温の変化量が閾値（気温の変化量に対する閾値）未満であるか否かを判断する（ＳＴ１３）。ここで、気温の変化量に対する閾値は、気温の変化に応じて照明器具１による照明色のｄｕｖを変更するか空調設備２の設定温度を変更するかを判定するための閾値である。例えば、上述した検討によれば、気温が約２℃上昇しても黒体軌跡の上部においてｄｕｖを変更することにより体感温度の快適性を損なわず、気温が約２℃下がっても黒体軌跡の下部においてｄｕｖを変更することにより体感温度の快適性を損なわないことが期待できる。また、上述の検討によれば、相関色温度は変えずに色味を変えるよう制御するための、気温の変化量に対する閾値としては、約２℃以下とすることが考えられる。
【００３９】
気温の変化量が閾値未満である場合（ＳＴ１３、ＹＥＳ）、プロセッサ５１は、照明器具１による照明の色で体感温度の快適性を維持させるため、照明器具１の光源１１が発光する色のｄｕｖを変更すると判断する。照明器具１の光源１１が発光する色のｄｕｖを変更すると判断した場合、プロセッサ５１は、現在の設定温度が所定の基準温度（設定に対する基準値）未満であるかを判断する（ＳＴ１４）。この判断は、照明色の変更によって体感温度の快適性を維持するため、光源１１が発光する色のｄｕｖをどのように変更するかを決定するものである。すなわち、プロセッサ５１は、基準温度に基づいて照明器具１による照明の色を暖かさの感じるようなｄｕｖに変更するか涼しさの感じるようなｄｕｖに変更するかを判断する。
【００４０】
例えば、基準温度は、冷房が必要な設定であるか暖房が必要な設定であるかを判断するための基準値である。具体例としては、冷房の標準的な設定温度を２０℃、かつ、暖房の標準的な設定温度を２６℃と想定した場合、基準温度は２０℃と２６℃との中間的な温度である２３℃としても良い。また、設定に対する基準値としては空調設備の設定が冷房設定か暖房設定かを判断するものであっても良い。
【００４１】
設定温度が基準温度（例えば２３℃）未満であると判断した場合（ＳＴ１４、ＹＥＳ）、プロセッサ５１は、ｘｙ色度図において黒体軌跡の上部になるように照明器具１の光源１１が発光する色のｄｕｖを変更する（ＳＴ１５）。すなわち、プロセッサ５１は、設定温度が基準温度未満であれば、人が暖かさを感じるような色味のｄｕｖを決定し、決定したｄｕｖへの変更を指示する制御信号をエリアコントローラ４を介して照明器具１へ送信する。
【００４２】
例えば、暖房運転時に相関色温度を３０００Ｋかつ設定温度を２０℃として空調設備２が暖房運転をしている場合、制御端末５は、温度計測器３が測定する温度（気温、室温）が２２℃から２１℃に下がれば、相関色温度を変えずに照明の色のｄｕｖをｘｙ色度図における黒体軌跡の上部に変更するように制御する。これにより、照明器具１の調光ユニット１２は、人に暖かさを感じさせるような色味となるように光源１１が発光する色のｄｕｖを変更する。
【００４３】
設定温度が基準温度以上であると判断した場合（ＳＴ１５、ＮＯ）、プロセッサ５１は、ｘｙ色度図において黒体軌跡の下部になるように照明器具１の光源１１が発光する色のｄｕｖを変更する（ＳＴ１６）。すなわち、プロセッサ５１は、設定温度が基準温度以上であれば、人が涼しさを感じるような照明の色のｄｕｖを決定し、決定したｄｕｖへの変更を指示する制御信号をエリアコントローラ４を介して照明器具１へ送信する。
【００４４】
例えば、相関色温度を５０００Ｋかつ設定温度を２６℃として空調設備２が冷房運転を実施している場合、制御端末５は、温度計測器３により測定する温度が２５℃から２６℃に上がれば、相関色温度を変えずに照明の色のｄｕｖをｘｙ色度図における黒体軌跡の下部に変更するように制御する。これにより、照明器具１の調光ユニット１２は、人に涼しさを感じさせるような色味となるように光源１１が発光する色のｄｕｖを変更する。
【００４５】
また、気温の変化量が閾値以上である場合（ＳＴ１３、ＮＯ）、プロセッサ５１は、実際の気温を空調によって調整するため、空調設備２の設定温度を変更する（ＳＴ１７）。これにより、制御端末５は、気温の変化量が大きい場合には、空調設備の設定温度を変更することにより実際の店舗内の気温（室温）を変化させて快適性を損なわないように協調制御する。
【００４６】
なお、上記動作例の変形例として、照明システムは、設定温度と温度計測器３が計測する気温との差分に応じて空調設備２の運転のオンオフを制御するようにしても良い。このような変形例は、制御端末５が、気温の変化量として設定温度と温度計測器３が計測する気温との差分（設定温度との差分）を算出することにより実現できる。この場合、制御端末５は、設定温度との差分が閾値未満であれば照明器具のｄｕｖを上記ＳＴ１４−１６のように制御し、設定温度との差分が閾値以上であればＳＴ１７の処理として空調設備２による暖房運転または冷房運転のオンオフを制御するようにしても良い。
【００４７】
このような空調設備２のオンオフ制御としては、例えば、制御端末５は、空調設備２が冷房運転モードである場合、設定温度よりも気温が高ければ冷房運転をオンし、設定温度よりも気温が低ければ冷房運転をオフする制御として良い。また、制御端末５は、空調設備２が暖房運転モードである場合、設定温度よりも気温が低ければ暖房運転のオンし、設定温度よりも気温が高ければ暖房運転をオフする制御として良い。
【００４８】
以上のように、実施形態に係る照明システムは、店舗内などの照明器具が光を照射する空間における気温に応じて照明器具による照明の色を相関色温度ではなくｄｕｖによって調整する。これにより、照明の色の相関色温度を変更するのに比べて店舗内などの空間の雰囲気（照明の色による雰囲気）を大幅に変えることなく、照明の色の制御による体感温度の快適性の維持が実現できる。
【００４９】
また、実施形態に係る照明システムは、温度計測器が測定する温度に応じて、照明器具と空調設備とを連動しながら協調制御を行う。照明システムは、温度計測器が測定する気温が変化すると、気温の変化量に応じて照明器具による照明の色のｄｕｖまたは空調設備の設定温度を制御する。これにより、店舗内などの空間の雰囲気を大幅に変えずに照明の色を制御して人の体感温度の快適性を維持することで省エネルギーなどを実現しつつ、大きな気温の変化に対しては空調設備の設定温度を変更することにより照明器具と空調設備との協調制御による空間内における快適性の維持を実現できる。
【００５０】
また、照明システムにおいて、照明器具は、３種類以上の発光器で構成する光源を有することにより、光源が発光する色のｄｕｖをｘｙ色度図における黒体軌跡の上部もしくは下部に制御することができる。照明システムは、設定温度が基準温度（例えば２３℃）以上である場合は照明の色のｄｕｖがｘｙ色度図における黒体軌跡の下部（青っぽい光）になるように制御し、設定温度が基準温度未満である場合は照明の色のｄｕｖがｘｙ色度図における黒体軌跡の上部（赤っぽい光）になるように制御する。これにより、寒いときは低温度の光、暑いときは高色温度の光という照明の色の制御による体感温度の効果を店内の印象を大幅に変えることなく実現できる。
【００５１】
なお、上記実施形態においては、制御端末及びエリアコントローラを含む制御システムが照明器具と空調設備とを制御する形態について説明したが、上述した制御システムの機能は照明器具に具備するようにしても良い。例えば、照明器具１に上述した制御端末５の機能を実行できる制御ユニットを設けることによって、図４に示すような動作を実行する機能を有する照明器具を実現しても良い。
【００５２】
また、上述した実施形態の変形例としては、制御システムなどを介さずに、気温に応じて光源のｄｕｖを調整する機能を有する照明器具を実現しても良いし、気温に応じて光源のｄｕｖを調整するとともに空調設備に設定温度を指示する制御信号を出力する機能を有する照明器具を実現しても良い。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１…照明器具、２…空調設備、３…温度計測器、４…エリアコントローラ、５…制御端末、１１…光源、１１ａ、１１ｂ、１１ｃ…ＬＥＤ素子（発光器）、１２…調光ユニット、１３…通信ユニット、２１…冷暖房機、２２…制御ユニット、２３…通信ユニット、３１…計測器、３２…通信ユニット、５１…プロセッサ、５２…メモリ、５３…操作部、５４…表示部、５５…通信ユニット。
【図１】
2019169429.tif 000003
【図２】
2019169429.tif 000004
【図３】
2019169429.tif 000005
【図４】
2019169429.tif 000006